(57)【特許請求の範囲】
【請求項１】
透液性のトップシートと裏面シートとの間に吸収体が介在され、少なくとも後身頃のウエスト部及び胴周り部に、水平方向に沿って多数の弾性伸縮部材が配置されるとともに、前記弾性伸縮部材群は、前記吸収体のほぼ配設領域において前記弾性伸縮部材が不連続に切断された第１弾性伸縮部材群と、前記吸収体の背側端縁又はその近傍よりもウエスト側に位置し、水平方向に連続させたままの第２弾性伸縮部材群とから構成される使い捨て紙おむつにおいて、
前記第１弾性伸縮部材群の弾性諸元と、前記第２弾性伸縮部材の弾性諸元との間に下式(1)の関係が成立することにより、製品状態で前記後身頃のウエスト部から胴周り部に亘る範囲の幅方向寸法をほぼ同幅にしたことを特徴とする使い捨て紙おむつ。
【数１】
0004750545.tif 000006
【請求項２】
透液性のトップシートと裏面シートとの間に吸収体が介在され、少なくとも後身頃のウエスト部及び胴周り部に、水平方向に沿って多数の弾性伸縮部材が配置されるとともに、前記弾性伸縮部材群は、前記吸収体のほぼ配設領域において前記弾性伸縮部材が不連続に切断された第１弾性伸縮部材群と、前記吸収体の背側端縁又はその近傍よりもウエスト側に位置し、水平方向に連続させたままの第２弾性伸縮部材群とから構成される使い捨て紙おむつにおいて、
前記第１弾性伸縮部材群の弾性諸元と、前記第２弾性伸縮部材の弾性諸元との間に下式(2)の関係が成立することにより、製品状態で前記後身頃のウエスト部から胴周り部に亘る範囲の幅方向寸法をほぼ同幅にしたことを特徴とする使い捨て紙おむつ。
【数２】
0004750545.tif 000007
【請求項３】
前記第１弾性伸縮部材群の切断領域幅は６０〜３７０mmとしてある請求項１、２いずれかに記載の使い捨て紙おむつ。
【請求項４】
前記第１弾性伸縮部材群及び第２弾性伸縮部材群は、おむつ長手方向に沿って６０〜３００mmの範囲に亘って形成され、その配置間隔は２〜１５mmとしてある請求項１〜３いずれかに記載の使い捨て紙おむつ。
【請求項５】
前記ウエスト部において、模様又は絵柄等のデザインを付すとともに、該デザインは幅方向中央部の配置密度をウエスト脇部の配置密度よりも相対的に高密度としてある請求項１〜４いずれかに記載の使い捨ておむつ。
【発明の詳細な説明】
【技術分野】
【０００１】
本発明は、少なくとも後身頃のウエスト部及び胴周り部に、水平方向に沿って多数の弾性伸縮部材が配置された使い捨て紙おむつに関する。
【背景技術】
【０００２】
従来より市場に提供されているテープ式紙おむつ５０は、図９に示されるように、装着のために紙おむつの後身頃の両側に、止着部材５４，５４を備えるもので、使用に際しては紙おむつの前身頃および後身頃をそれぞれ着用者の身体に当てがった後、前記止着部材５４，５４を腹側に持ち込み、紙おむつ外面の不透液性バックシート５３の表面に貼着されているポリエチレン等のプラスチック材料よりなるフロントターゲットテープ５５に止着して紙おむつの固定を行うようにしている。
【０００３】
また、近年は後身頃のウエスト部及び胴周り部５１に、水平方向に沿って多数の弾性伸縮部材５６…、５７…が配置することによりシャーリングを形成し、身体へのフィット性を高めた使い捨ておむつが提案されている。なお、この場合吸収体が配設される領域は吸収体の縮こまりを防止するため、弾性部材が細かく切断され不連続化されるのが一般的である。
【０００４】
例えば、下記特許文献１では、テープが設けられた部位を着用者の背側および腹側の何れの側に向けても容易に装着でき、ずり落ちや尿漏れを防止することを目的に、後身頃にウエスト部弾性部材と胴回り弾性部材を配置した使い捨ておむつにおいて、前記腰回り部分の幅方向の伸長応力をウエスト部の幅方向の伸長応力よりも大きく設定した使い捨ておむつが開示されている。
【特許文献１】特開２００２−２９１７９７号公報
【発明の開示】
【発明が解決しようとする課題】
【０００５】
前述のように、ウエスト部弾性部材および胴周り部弾性部材の両者を配置した使い捨ておむつの場合、すべての弾性部材を同じ伸縮応力で配置した場合は、吸収体との重なり領域で弾性部材が切断されることにより、ウエスト部側での収縮率が大きくなり幅寸法が小さくなる。そのため、図７に示されるように、止着部材５４が斜め上方に向いてしまい、おむつを装着しづらくなるとともに、紙おむつの装着時に前記止着部材５４のフロントターゲットテープ５５への止着が斜めになってしまうため、装着不備によりズレ落ちなどが生じ易いなどの問題があった。
【０００６】
一方、上記特許文献１記載の使い捨ておむつでは、腰回り部分の幅方向の伸長応力をウエスト部の幅方向の伸長応力よりも大きく設定されるが、両者のバランスが悪いと、止着部材５４が斜め上方に向いてしまったり、斜め下方向に向いてしまったりするため、同様の問題が発生することになる。
【０００７】
そこで本発明の主たる課題は、少なくとも後身頃のウエスト部及び胴周り部に、水平方向に沿って多数の弾性伸縮部材が配置され、吸収体と重なる領域において弾性伸縮部材が不連続化された使い捨ておむつにおいて、後身頃のウエスト部から胴周り部に亘る範囲の製品幅をほぼ同幅とし、紙おむつの装着を容易にするとともに、装着不備等を無くすことにある。
【課題を解決するための手段】
【０００８】
前記課題を解決するために請求項１に係る本発明として、透液性のトップシートと裏面シートとの間に吸収体が介在され、少なくとも後身頃のウエスト部及び胴周り部に、水平方向に沿って多数の弾性伸縮部材が配置されるとともに、前記弾性伸縮部材群は、前記吸収体のほぼ配設領域において前記弾性伸縮部材が不連続に切断された第１弾性伸縮部材群と、前記吸収体の背側端縁又はその近傍よりもウエスト側に位置し、水平方向に連続させたままの第２弾性伸縮部材群とから構成される使い捨て紙おむつにおいて、
前記第１弾性伸縮部材群の弾性諸元と、前記第２弾性伸縮部材の弾性諸元との間に下式(1)の関係が成立することにより、製品状態で前記後身頃のウエスト部から胴周り部に亘る範囲の幅方向寸法をほぼ同幅にしたことを特徴とする使い捨て紙おむつが提供される。
【数１】
0004750545.tif 000002
【０００９】
上記請求項１記載の本発明においては、前記第１弾性伸縮部材群の弾性諸元と、前記第２弾性伸縮部材の弾性諸元との間に上式(1)の関係が成立していることにより、製品状態で前記後身頃のウエスト部から胴周り部に亘る範囲の幅方向寸法をほぼ同幅とする。従って、紙おむつの装着作業、特に止着部材のフロントターゲットテープへの止着を容易にすることが可能となるとともに、装着不備を無くすことが可能となる。
【００１０】
請求項２に係る本発明として、透液性のトップシートと裏面シートとの間に吸収体が介在され、少なくとも後身頃のウエスト部及び胴周り部に、水平方向に沿って多数の弾性伸縮部材が配置されるとともに、前記弾性伸縮部材群は、前記吸収体のほぼ配設領域において前記弾性伸縮部材が不連続に切断された第１弾性伸縮部材群と、前記吸収体の背側端縁又はその近傍よりもウエスト側に位置し、水平方向に連続させたままの第２弾性伸縮部材群とから構成される使い捨て紙おむつにおいて、
前記第１弾性伸縮部材群の弾性諸元と、前記第２弾性伸縮部材の弾性諸元との間に下式(2)の関係が成立することにより、製品状態で前記後身頃のウエスト部から胴周り部に亘る範囲の幅方向寸法をほぼ同幅にしたことを特徴とする使い捨て紙おむつが提供される。
【数２】
0004750545.tif 000003
【００１１】
上記請求項２記載の本発明においては、前記第１弾性伸縮部材群の弾性諸元と、前記第２弾性伸縮部材の弾性諸元との間に上式(2)の関係が成立していることにより、製品状態で前記後身頃のウエスト部から胴周り部に亘る範囲の幅方向寸法をほぼ同幅とするものである。
【００１２】
請求項３に係る本発明として、前記第１弾性伸縮部材群の切断領域幅は６０〜３７０mmとしてある請求項１、２いずれかに記載の使い捨て紙おむつが提供される。
【００１３】
請求項４に係る本発明として、前記第１弾性伸縮部材群及び第２弾性伸縮部材群は、おむつ長手方向に沿って６０〜３００mmの範囲に亘って形成され、その配置間隔は２〜１５mmとしてある請求項１〜３いずれかに記載の使い捨て紙おむつが提供される。
【００１４】
請求項５に係る本発明として、前記ウエスト部において、模様又は絵柄等のデザインを付すとともに、該デザインは幅方向中央部の配置密度をウエスト脇部の配置密度よりも相対的に高密度としてある請求項１〜４いずれかに記載の使い捨ておむつが提供される。
【００１５】
上記請求項５記載の発明では、あしらったデザインに関して、幅方向中央部の配置密度をウエスト脇部の配置密度よりも相対的に高密度とすることにより、中央側に縮んでいるような視覚効果を持たせることができる。
【発明の効果】
【００１６】
以上詳説のとおり本発明によれば、少なくとも後身頃のウエスト部及び胴周り部に、水平方向に沿って多数の弾性伸縮部材が配置され、吸収体と重なる領域において弾性伸縮部材が不連続化された使い捨ておむつにおいて、後身頃のウエスト部から胴周り部に亘る範囲の製品幅をほぼ同幅とすることができるため、紙おむつの装着を容易にするとともに、装着不備等を無くすことができる。
【発明を実施するための最良の形態】
【００１７】
以下、本発明の実施の形態について図面を参照しながら詳述する。
図１は本発明に係る紙おむつの一部破断展開図であり、図２は要部拡大図である。
【００１８】
図１において、使い捨て紙おむつ（以下、単に紙おむつという。）は、有孔または無孔の不織布や孔開きプラスチックシート等からなり使用面側を覆う透液性トップシート２と、不織布からなり紙おむつの外面側を覆うとともに、おむつ両側部では後述のサイドギャザー不織布４と共にサイドフラップ部ＳＦを構成するバックシート不織布１と、前記透液性トップシート２とバックシート不織布１との間に介在された、綿状パルプ等からなる、たとえば長方形状（または砂時計形状等）のある程度の剛性を有する吸収体３と、前記吸収体３とバックシート不織布１との間に少なくとも吸収体３の全面積を覆うように配設されたポリエチレン等からなる防水フィルム１０と、紙おむつの両側部に表面側に起立する立体ギャザーＢＳを形成するとともに、おむつ両側部では前記バックシート不織布１と共にサイドフラップ部ＳＦを構成するためのサイドギャザー不織布４と、背側両側部に設けられた紙おむつ装着のための止着部材６，６と、腹側表面に設けられた前記止着部材６を止め付けるためのフロントターゲットテープ１１と、前記バックシート不織布１に接着されて腰回りにシャーリングを形成するために後身頃Ｂのウエスト部及び胴周り部に、水平方向に沿って配設された多数の弾性伸縮部材群８…、９…と、前身頃Ｆのウエスト部に水平方向に沿って配設された複数の弾性伸縮部材群１２，１２…とから主に構成されている。
【００１９】
本発明では、通常、おむつ外面を覆うために用いられているポリエチレン等による不透液性バックシートに代えて、不織布からなるバックシートが用いられ、かつ吸収体３とバックシート不織布１との間にポリエチレン等からなる防水フィルム１０が介在されているが、従来のように、外面に不透液性バックシートを設け、前記防水フィルム１０を省略した紙おむつとしてもよい。
【００２０】
前記防水フィルム１０は、吸収体３と同じような形状を成し、両側縁部は吸収体３側縁よりも若干側方に延在して形成され（この部分を側方延在部分ＫＳという。）、この側方延在部分ＫＳにおいて透液性トップシート２とホットメルト接着剤などにより固着されている。なお、前記防水フィルム１０は、吸収体３の側縁、上下端縁よりも大きく前記吸収体３を覆うことができれば、どのような形状であってもよい。
【００２１】
また、前記バックシート不織布１は、前記防水フィルム１０の外面側に積層され、紙おむつの外形線を成す位置まで延在され、後述のサイドギャザー不織布４とともにサイドフラップ部ＳＦを形成している。
【００２２】
前記防水フィルム１０としては、近年、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。
【００２３】
一方、サイドギャザー不織布４は、前記側方延在部分ＫＳから吸収体３側縁に跨る領域において幅方向中間部が紙おむつの略長手方向に沿って固着され、この固着部よりも側方に延在する不織布シート部分が前記バックシート不織布１と共にサイドフラップＳＦを構成している。このサイドフラップ部ＳＦにおいては、前記サイドギャザー不織布４とバックシート不織布１との間に紙おむつ長手方向に複数本、図示の例では３本の弾性伸縮部材７，７…が配設され、平面ギャザーＧＫが形成されている。この平面ギャザーＧＫは、着用した際に紙おむつをきっちりと脚周りにて保持することにより、フィット性を向上させ紙おむつがずれるのを防止する。また、紙おむつがきっちりと保持されることにより前記立体ギャザーＢＳが裏返ったりすることなく脚周りに沿って起立した状態で装着されるようになる。
【００２４】
他方、前記サイドギャザー不織布４の前記固着部よりも内方側の不織布シート部分によって表面側に起立する立体ギャザーＢＳが形成されている。この立体ギャザーＢＳは、吸収体３の側縁近傍位置に起立端を有し、その先端が紙おむつ長手方向に沿って二重に折り返され、この折り返し部の内方に１本の弾性伸縮ゴム５を、または必要により複数本の弾性伸縮ゴムを配設することにより、その伸縮力を利用して立体ギャザーＢＳを起立させるようになっている。前記弾性伸縮ゴム５としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２５】
前述のバックシート不織布１、透液性トップシート２およびサイドギャザー不織布４を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にサイドフラップ部ＳＦを構成する前記サイドギャザー不織布４およびバックシート不織布１としては、ゴワ付き感を無くすとともに、ムレを防止するために、米坪量を抑えて通気性に優れた不織布を用いるのがよい。
【００２６】
本紙おむつでは、サイドフラップ部ＳＦを不織布により構成しているため該部分が透液性を有するようになるが、極力透液性を低下させ体液の透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２７】
一方、紙おむつを身体に固定するための前記止着部材６は、基材の内端側をバックシート不織布１とギャザーシート不織布４との間に挿入しホットメルト接着剤等によって堅固に固定されている。また、バックシート不織布外面（衣服面側）と基材の内端側をヒートシールや超音波接着により接合されていてもよい。前記止着部材６は、背側に配置された弾性伸縮部材８…，９…と連動するよう実質的に連続した位置に取り付けられている。
【００２８】
前記止着部材６の内面側には雄／雌型機械的ファスナー手段を表面に備える面ファスナーシート１３が貼着され、紙おむつの腹側表面に貼着された雌／雄型機械的ファスナー機能を備えるフロントターゲットテープ１１に止着することによって紙おむつを身体に装着するようになっている。
【００２９】
前記止着部材６にはテープの突出方向、すなわち腰周り方向に伸縮性が付与されるようにしてもよい。基材に伸縮性を与えるためには、例えば不織布に熱可塑性樹脂を溶融ラミネートして得られる伸縮性積層シート、エラストマーフィルムと不織布とをポイントボンドさせて得られる伸縮性積層シート、更には不織布／エラストマーフィルム／不織布からなる３層構造とし各層を不連続な接合点によりポイントボンドしてなる伸縮性積層シートなどを挙げることができる。ここで、不織布は伸び方向に伸長可能である必要があるが、例えば接合点又は融着点を有しないため伸長性に優れるスパンレース不織布や、融着点は有するが各融着点間を捲縮させるなどして伸長性を与えたスパンボンド不織布などが好適とされる。
【００３０】
前記後身頃Ｂのウエスト部及び胴周り部に配置された弾性伸縮部材群８…、９…は、前記吸収体３のほぼ配設領域において前記弾性伸縮部材が不連続に切断された第１弾性伸縮部材群８，８…と、前記吸収体３の背側端縁又はその近傍よりもウエスト側に位置し、水平方向に連続させたままの第２弾性伸縮部材群９，９…とから構成される。
【００３１】
吸収体３が介在されない領域であるエンドフラップ部ＥＦに配設された第２領域弾性伸縮部材９，９…は、装着者の身体のウエスト部回りを締め付けるように伸縮力を付与することにより紙おむつを身体にフィットさせるためのものである。前記エンドフラップ部ＥＦとは、前記バックシート不織布１、防水フィルム１０および透液性トップシート２が共に延在するだけで吸収体３が介在しない領域で、ウエスト開口縁部のことである。
【００３２】
吸収体３が介在された領域に配設される第１領域弾性伸縮部材８，８…は、前記エンドフラップ部ＥＦの下部から吸収体３が介在する胴回り領域部ＤＬにおいて、後身頃Ｂの腰回り部分にそれぞれ、水平方向の伸縮力を与えるためのものである。前記第１領域弾性部材８、８…は、前記吸収体３の縮こまりを防止するため、吸収体３が配設される中央領域において連続しておらず、伸縮性が付与されていない構造となっている。弾性伸縮部材の不連続化は、例えば特開２０００−２６０１５号公報、特開２００２−２７３８０８号公報に示されるように、各種弾性伸縮部材をバックシート１に配置した後、エンボスカッターロールとアンビルロールとの間にバックシートを通過させ、前記エンボスカッターロールによる加圧又は加熱により所定範囲内に存在する弾性伸縮部材を細かく切断する方法によればよい。
【００３３】
前記第１弾性伸縮部材８，８…と第２弾性伸縮部材９，９…との境界はきっちりと前記吸収体３の背側端縁でなくてもよく、その近傍であればよい。すなわち、前記第２弾性伸縮部材９、９…の何本か、概ね１０本以内は吸収体３を横断して連続してもよい。
【００３４】
前記弾性伸縮部材８、９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、第２領域弾性伸縮部材９は、上記素材と不織布や紙等を複合したシート状、リボン状の複合材を用いても良い。
【００３５】
一方、前身頃Ｆ側においては、ウエスト部分に水平方向に沿って複数条の弾性伸縮部材１２，１２…が配置され、装着状態で後身頃Ｂに配置された第２弾性伸縮部材９，９…と実質的に周方向に連続するウエスト部弾性帯を形成するようになっている。
【００３６】
次に、製品状態（伸縮力が効いた状態）で、前記後身頃Ｂ側において前記エンドフラップ部ＥＦと胴回り領域部ＤＬの製品幅をほぼ同幅とするための手法について以下詳述する。
【００３７】
本おむつでは、前記第１弾性伸縮部材群８，８…の弾性諸元と、前記第２弾性伸縮部材９，９…の弾性諸元との間に下式(1)の関係が成立するように、それぞれの弾性伸縮部材８…，９…の伸長時長さ、伸縮率、切断領域幅を調整するようにする（図２参照）。
【００３８】
【数１】
0004750545.tif 000004
【００３９】
すなわち、前記エンドフラップ部ＥＦ部分の製品幅と、胴回り領域部ＤＬの製品幅との差がほぼ第２弾性伸縮部材群の伸長時長さＬ１の±２０％以内、好ましくは１０％以内、より好ましくは５％以内になるように弾性伸縮部材８…、９…の弾性諸元を調整することにより、前記後身頃Ｂのウエスト部から胴周り部に亘る範囲の製品幅をほぼ同幅にすることが可能になる。なお、製品幅の計算式において、バックシート１、トップシート２及び防水フィルム１０等の剛性によって多少の誤差を有するが、この誤差の大部分は前記エンドフラップ部ＥＦ部分製品幅と、胴回り領域部ＤＬの製品幅とを減算することにより相殺されることになる。
【００４０】
ところで、前記第１弾性伸縮部材群８，８…の弾性諸元と、前記第２弾性伸縮部材９，９…の弾性諸元との間に下式(2)の関係が成立するように、それぞれの弾性伸縮部材８…，９…の伸長時長さ、伸縮率、切断領域幅を調整するようにしてもよい（図２参照）。
【００４１】
【数２】
0004750545.tif 000005
【００４２】
なお、上式(2)は、前記エンドフラップ部ＥＦ部分の製品幅と、胴回り領域部ＤＬの製品幅との比が０．８〜１．２、好ましくは０．９〜１．１、より好ましくは０．９５〜１．０５の範囲内になるように弾性伸縮部材８…，９…の弾性諸元を調整することにより、前記後身頃Ｂにおいてウエスト部から胴周り部に亘る範囲の製品幅をほぼ同幅にするものである。
【００４３】
一方、本使い捨ておむつにおいては、他の条件として、前記第１弾性伸縮部材群８，８…の切断領域幅（Ｌ３）は６０〜３７０mmとするのが望ましい。装着時に幼児の体の下になり、張力の働かない部分をカットしておむつ製品幅を拡げることにより装着のし易さを向上させることができる。
【００４４】
また、前記第１弾性伸縮部材群８，８…及び第２弾性伸縮部材群９，９…は、おむつ長手方向に沿って６０〜３００mmの範囲Ｓに亘って形成され、その配置間隔は２〜１５mm、好ましくは３〜８mmとするのが望ましい。装着者のウエスト部から胴回りにかけて広い範囲亘って弾性伸縮部材を配置し、均等な締付け力を付与することにより、おむつを体型にフィットさせることができるとともに、ゴムによる跡付き等を軽減することが可能となる。
【００４５】
また、前記第１弾性伸縮部材群８，８…及び第２弾性伸縮部材群９，９…による全体の張力は、エンドフラップ部ＥＦおよび胴回り領域部ＤＬ全体を１００mm伸長した後、７０mmまで緩めた時の張力が、５０〜２００ｇｆとなるようにすることが好ましい。５０ｇｆより小さいと伸縮力が弱すぎてフィット性を欠くようになるため、漏れや紙おむつのズレが発生し易くなり、２００ｇｆより大きいと腹部への圧迫感が大きくなったり、着用者の体型変化があった場合には跡付等が残るようになる。
【００４６】
〔他の形態例〕
(1)上記形態例では、後身頃Ｂのウエスト部及び胴周り部に、水平方向に沿って多数の弾性伸縮部材８…、９…が配置された構造の紙おむつについて詳述したが、前身頃Ｆにおいても、ウエスト部弾性部材１２，１２…の他に、胴回り弾性伸縮部材が配置された紙おむつに対しても適用が可能である。
【００４７】
(2)上記形態例では、ウエスト部に水平方向に沿って複数の弾性伸縮部材群１２，１２…を配置するようにしたが、この弾性伸縮部材群１２，１２…は省略することが可能である。
【００４８】
(3)上記形態例では、テープ式紙おむつを例に採り本発明を説明したが、本発明はパンツ式紙おむつに対しても同様に適用することができる。図４〜図６に示されるように、パンツ式使い捨て紙おむつは、不織布などからなる透液性表面シート２１と、ポリエチレンなどからなる防漏シート２２との間に、綿状パルプなどの吸収体２３を介在させた吸収性本体２０と、前記防漏シート２２の外面側に一体的に設けられた外装シート３０とからなり、製品状態で前記外装シート３０の前身頃Ｆと後身頃Ｂとが両側部において接合されることによりウエスト開口部及び左右一対のレッグ開口部が形成された構造の紙おむつである。
【００４９】
前記外装シート３０は、上層不織布３０Ａ及び下層不織布３０Ｂが、ホットメルト接着剤などにより接着された２層構造の不織布シートとされ、前記上層不織布３０Ａと下層不織布３０Ｂとの間に、図６に示されるように、前身頃Ｆ及び後身頃Ｂのそれぞれにおいて、ウエスト部及び胴周り部に、水平方向に沿って多数の弾性伸縮部材が配置されるている。これら弾性伸縮部材は、前記吸収体２３のほぼ配設領域において前記弾性伸縮部材が不連続に切断された第１弾性伸縮部材群８，８…（ＤＬ領域の弾性伸縮部材）と、前記吸収体２３の背側端縁又はその近傍よりもウエスト側に位置し、水平方向に連続させたままの第２弾性伸縮部材群９，９…（ＥＦ領域の弾性伸縮部材）とから構成されており、前記前身頃Ｆ及び後身頃Ｂのそれぞれにおいて、前記第１弾性伸縮部材群８，８…の弾性諸元と、前記第２弾性伸縮部材９，９…の弾性諸元との間に上式(1)又は(2)の関係が成立するように、それぞれの弾性伸縮部材８…，９…の伸長時長さ、伸縮率、切断領域幅を調整することにより、製品状態でウエスト部から胴周り部に亘る範囲の製品幅をほぼ同幅にすることが可能になる。なお、前記第１弾性伸縮部材群８，８…と第２弾性伸縮部材群９，９…については、図８に示されるように、別工程で、２枚の不織布シートや２つ折りした不織布シート内に前記弾性伸縮部材８…，９…を介在させた弾性伸縮シート４０を作製しておき、前記上層不織布３０Ａと下層不織布３０Ｂとの間に配置するようにしてもよい。
【００５０】
(4)前記エンドフラップ部ＥＦにおいては、模様又は絵柄等のデザインを付す場合には、図７に示されるように、該デザインは幅方向中央部の配置密度をウエスト脇部の配置密度よりも相対的に高密度とすることが望ましい。その結果、中央側に縮んでいるような視覚効果を強調的に持たせることができる。
【図面の簡単な説明】
【００５１】
【図１】本発明に係る紙おむつの一部破断展開図である。
【図２】その要部拡大図である。
【図３】製品状態を示す斜視図である。
【図４】パンツ式使い捨ておむつの斜視図である。
【図５】その組立て要領を示す斜視図である。
【図６】外装シート３０の展開図である。
【図７】エンドフラップ部ＥＦに模様又は絵柄等のデザインをあしらった場合の図である。
【図８】外装シート３０の他例を示す斜視図である。
【図９】従来のテープ式紙おむつの製品状態を示す図である。
【符号の説明】
【００５２】
１…バックシート不織布、２…透液性トップシート、３…吸収体、４…サイドギャザー不織布、６…止着部材、８…第１弾性伸縮部材、９…第２弾性伸縮部材、１０…防水フィルム、１１…フロントターゲットテープ、１３…面ファスナーシート、ＥＦ…エンドフラップ部、ＤＬ…胴回り領域部
【図１】
0004750545.tif 000008
【図２】
0004750545.tif 000009
【図３】
0004750545.tif 000010
【図４】
0004750545.tif 000011
【図５】
0004750545.tif 000012
【図６】
0004750545.tif 000013
【図７】
0004750545.tif 000014
【図８】
0004750545.tif 000015
【図９】
0004750545.tif 000016